(57)【要約】  専門知識がなくても、結晶スポンジに吸蔵した試料の搭載作業を含め、結晶スポンジによる構造解析を迅速に、確実に、容易に行う単結晶Ｘ線構造解析装置用試料ホルダユニットを提供する。試料ホルダは、単結晶Ｘ線構造解析装置のゴニオメータに取り付けられる基台部と、基台部に形成され、内部に形成された複数の微細孔に試料を吸蔵可能な細孔性錯体結晶を保持する保持部と、基台部に形成され、細孔性錯体結晶に吸蔵させるための試料を導入する試料導入構造を備え、アプリケータは、試料ホルダを収納する収納空間および開口部３０２と、収納空間に収納された試料ホルダが開口部３０２から抜け出すことを選択的に阻止および解除する抜け止め部を備え、抜け止め部は、アプリケータに収納された試料ホルダをゴニオメータへ取付けた状態で、抜け止めを解除する操作部を有する。
2020105728.tif 000002
【特許請求の範囲】
【請求項１】
単結晶Ｘ線構造解析装置において使用する試料ホルダと、前記試料ホルダを収納するアプリケータからなる試料ホルダユニットであって、
前記試料ホルダは、
前記単結晶Ｘ線構造解析装置のゴニオメータに取り付けられる基台部と、
前記基台部に形成され、内部に形成された複数の微細孔に試料を吸蔵可能な細孔性錯体結晶を保持する保持部と、
前記基台部に形成され、前記細孔性錯体結晶に吸蔵させるための前記試料を導入する試料導入構造を備え、
前記アプリケータは、
前記試料ホルダを収納する収納空間および開口部と、
前記収納空間に収納された前記試料ホルダが前記開口部から抜け出すことを選択的に阻止および解除する抜け止め部を備え、
前記抜け止め部は、前記アプリケータに収納された前記試料ホルダを前記ゴニオメータへ取付けた状態で、抜け止めを解除する操作部を有することを特徴とする試料ホルダユニット。
【請求項２】
請求項１記載の試料ホルダユニットにおいて、
前記アプリケータは、さらに、前記操作部による抜け止め解除により、前記試料ホルダを分離する分離構造を備えることを特徴とする試料ホルダユニット。
【請求項３】
請求項２に記載の試料ホルダユニットにおいて、
前記分離構造は、前記アプリケータと内部に収納された前記試料ホルダとの接触面を気密に保つシール部からなることを特徴とする試料ホルダユニット。
【請求項４】
請求項３に記載の試料ホルダユニットにおいて、
前記抜け止め部は、前記試料ホルダを前記シール部に押圧した状態で抜け出しを阻止することを特徴とする試料ホルダユニット。
【請求項５】
請求項１〜４のいずれか一項に記載の試料ホルダユニットにおいて、
前記抜け止め部は、前記アプリケータの開口部に突出して前記試料ホルダの抜け出しを阻止する揺動レバーで構成されることを特徴とする試料ホルダユニット。
【請求項６】
請求項１〜４のいずれか一項に記載の試料ホルダユニットにおいて、
前記抜け止め部は、前記アプリケータの開口部に突出して前記試料ホルダの抜け出しを阻止する形状であることを特徴とする試料ホルダユニット。
【請求項７】
請求項６に記載の試料ホルダユニットにおいて、
前記抜け止め部は、前記試料ホルダとの摺動面の先端に傾斜面を有することを特徴とする試料ホルダユニット。
【請求項８】
請求項６または７に記載の試料ホルダユニットにおいて、
前記アプリケータはその両側部に一対の平行な案内レールを有し、
前記抜け止め部は前記案内レールに係合して摺動することを特徴とする試料ホルダユニット。
【請求項９】
請求項６または７に記載の試料ホルダユニットにおいて、
前記アプリケータはその両側部に一対の平行な案内レールを有し、
前記抜け止め部は前記案内レールに係合して摺動する係合部を有し、
前記案内レールおよび係合部は、それぞれ断面コ字型に形成されることを特徴とする試料ホルダユニット。
【発明の詳細な説明】
【技術分野】
【０００１】
本発明は、材料の構造をその原子や分子の配列などのミクロな集合構造によって解析することを可能にする次世代の単結晶Ｘ線構造解析装置に関し、特に、解析する対象となる単結晶試料の作成を含んだ処理を行うための冶具である単結晶Ｘ線構造解析装置用試料ホルダユニットに関する。
【背景技術】
【０００２】
新たなデバイスや材料の研究開発では、日常的に材料の合成、材料の評価、それに基づいた次の研究方針の決定が行なわれている。短期間に材料開発を行うためのＸ線回折を用いた物質の構造解析では、目的の材料の機能・物性を実現する物質構造を効率良く探索するために、構造解析を効率的に行うことを可能とする物質の構造解析を中心とした物質構造の探索方法とそれに用いるＸ線構造解析は必要不可欠である。【０００３】
しかし、当該手法で得られた結果に基づいて構造解析を行うことは、Ｘ線の専門家でなければ難しかった。そのため、Ｘ線の専門家でなくても構造解析を行うことができるＸ線構造解析システムが求められていた。その中でも、特に、以下の特許文献１にも知られるように、単結晶Ｘ線構造解析は、正確で精度の高い分子の立体構造を得ることができる手法として注目されている。【０００４】
他方、この単結晶Ｘ線構造解析には、試料を結晶化して単結晶を用意しなければならないという大きな制約があった。しかしながら、以下の非特許文献１や２、更には、特許文献２にも知られるように、「結晶スポンジ」と呼ばれる材料（例えば、直径0.5nｍから１nｍの細孔が無数に開いた細孔性錯体結晶）の開発によって、結晶化しない液体状化合物や結晶化を行うに足る量を確保できない試料なども含め、単結晶Ｘ線構造解析を広く適用することが可能となっている。
【先行技術文献】
【特許文献】
【０００５】
【特許文献１】特開２００７−３３９４号公報
【特許文献２】再公表特許ＷＯ２０１６／０１７７７０号公報
【非特許文献】
【０００６】
【非特許文献１】Makoto Fujita; X-ray analysis on the nanogram to microgram scale using porous complexes; Nature 495,461-466; 28 March 2013
【非特許文献２】Hoshino et al. (2016), The updated crystalline sponge method IUCrJ, 3, 139-151
【発明の概要】
【発明が解決しようとする課題】
【０００７】
しかしながら、上述した結晶スポンジを利用した従来技術になる単結晶Ｘ線構造解析では、各種の装置によって分離された数nｇ〜数μｇ程度の極微量の試料を寸法100μｍ程度の極微小で脆弱（fragile）な結晶スポンジの骨格内に吸蔵する工程と共に、更に、この試料を吸蔵した極微小な結晶スポンジを取り出し、冶具に取り付け、単結晶Ｘ線構造解析装置内のＸ線照射位置に搭載するという微細かつ緻密な作業を伴う工程を、迅速かつ正確に行うことを必要とする。なお、これらの短時間で行う微細で緻密な作業は、結晶スポンジに吸蔵した後の試料の測定結果に多大な影響を及ぼすこととなり、非常に重要な作業となる。【０００８】
このことから、本発明は、上述した従来技術における問題点に鑑みて達成されたものであり、その目的は、特に、Ｘ線構造解析の専門知識がなくても、極微小で脆弱（fragile）な結晶スポンジに吸蔵した試料の取り出しや装置への搭載作業を含め、結晶スポンジによる単結晶Ｘ線構造解析を、迅速さも求められる従来の微細で緻密な作業を伴うことなく、迅速に、かつ、確実かつ容易に行うことを可能とする試料ホルダユニットであって、換言すれば、歩留まり良くかつ効率的で、汎用性に優れ、かつ、ユーザフレンドリな単結晶Ｘ線構造解析装置を実現するため、単結晶Ｘ線構造解析装置において使用される試料ホルダユニットを提供することを目的とするものである。
【課題を解決するための手段】
【０００９】
（１）上記の目的を達成するため、本発明の試料ホルダユニットは、単結晶Ｘ線構造解析装置において使用する試料ホルダと、前記試料ホルダを収納するアプリケータからなる試料ホルダユニットであって、前記試料ホルダは、前記単結晶Ｘ線構造解析装置のゴニオメータに取り付けられる基台部と、前記基台部に形成され、内部に形成された複数の微細孔に試料を吸蔵可能な細孔性錯体結晶を保持する保持部と、前記基台部に形成され、前記細孔性錯体結晶に吸蔵させるための前記試料を導入する試料導入構造を備え、前記アプリケータは、前記試料ホルダを収納する収納空間および開口部と、前記収納空間に収納された前記試料ホルダが前記開口部から抜け出すことを選択的に阻止および解除する抜け止め部を備え、前記抜け止め部は、前記アプリケータに収納された前記試料ホルダを前記ゴニオメータへ取付けた状態で、抜け止めを解除する操作部を有することを特徴としている。【００１０】
（２）また、本発明の試料ホルダユニットにおいて、前記アプリケータは、さらに、前記操作部による抜け止め解除により、前記試料ホルダを分離する分離構造を備えることを特徴としている。【００１１】
（３）また、本発明の試料ホルダユニットにおいて、前記分離構造は、前記アプリケータと内部に収納された前記試料ホルダとの接触面を気密に保つシール部からなることを特徴としている。【００１２】
（４）また、本発明の試料ホルダユニットにおいて、前記抜け止め部は、前記試料ホルダを前記シール部に押圧した状態で抜け出しを阻止することを特徴としている。【００１３】
（５）また、本発明の試料ホルダユニットにおいて、前記抜け止め部は、前記アプリケータの開口部に突出して前記試料ホルダの抜け出しを阻止する揺動レバーで構成されることを特徴としている。【００１４】
（６）また、本発明の試料ホルダユニットにおいて、前記抜け止め部は、前記アプリケータの開口部に突出して前記試料ホルダの抜け出しを阻止する形状であることを特徴としている。【００１５】
（７）また、本発明の試料ホルダユニットにおいて、前記抜け止め部は、前記試料ホルダとの摺動面の先端に傾斜面を有することを特徴としている。【００１６】
（８）また、本発明の試料ホルダユニットにおいて、前記アプリケータはその両側部に一対の平行な案内レールを有し、前記抜け止め部は前記案内レールに係合して摺動することを特徴としている。【００１７】
（９）また、本発明の試料ホルダユニットにおいて、前記アプリケータはその両側部に一対の平行な案内レールを有し、前記抜け止め部は前記案内レールに係合して摺動する係合部を有し、前記案内レールおよび係合部は、それぞれ断面コ字型に形成されることを特徴としている。
【発明の効果】
【００１８】
上述した本発明の単結晶Ｘ線構造解析装置用試料ホルダユニットによれば、単結晶Ｘ線構造解析装置における脆弱（fragile）な結晶スポンジへの試料の吸蔵とその後のゴニオメータ先端部への取り付け作業を、従来の緻密で微細な工程を伴うことなく、迅速かつ正確かつ容易に行うことができ、結晶スポンジによる単結晶Ｘ線構造解析を迅速かつ正確かつ容易に行うことができる。そのことから、結晶スポンジによる単結晶Ｘ線構造解析を容易に利用可能にして、広く普及することが可能となる。
【図面の簡単な説明】
【００１９】
【図１】本発明の一実施の形態になる単結晶Ｘ線回折装置を備えた単結晶Ｘ線構造解析装置の全体構成を示す図である。
【図２】上記単結晶Ｘ線回折装置の構成を示す図である。
【図３】上記単結晶Ｘ線構造解析装置内部の電気的構成を示すブロック図である。
【図４】上記単結晶Ｘ線構造解析装置により得られるＸＲＤＳパターン又はイメージを示す写真を含む図である。
【図５】上記単結晶Ｘ線構造解析装置においてＸ線回折データ測定・処理ソフトウェアを実行した画面の一例を示す写真を含む図である。
【図６】上記単結晶Ｘ線構造解析装置の構造解析プログラムを用いて作成した分子モデルを表示した画面を含む図である。
【図７】上記単結晶Ｘ線回折装置のゴニオメータを中心にした構造の一例を示す写真を含む図である。
【図８】本発明の実施例１の上記ゴニオメータに取り付ける試料ホルダの一例を示す断面図である。
【図９】上記試料ホルダを収納するアプリケータの斜視図である。
【図１０】上記試料ホルダが上記アプリケータに収納された状態の試料ホルダユニットの説明図である。
【図１１】上記試料ホルダが上記アプリケータに収納された状態の試料ホルダユニットの説明図である。
【図１２】試料導入パイプから導入された試料が結晶スポンジに吸蔵される工程を示す説明図である。
【図１３】単結晶Ｘ線構造解析において用いられる前処理装置の一例を示す図である。
【図１４】試料ホルダユニットが単結晶Ｘ線構造解析装置に取り付けられる工程を示す説明図である。
【図１５】上記試料ホルダユニットが単結晶Ｘ線構造解析装置に取り付けられた状態の説明図である。
【図１６】本発明の実施例２のアプリケータの斜視図である。
【図１７】同じく試料ホルダが上記アプリケータに収納された状態の説明図である。
【図１８】同じく単結晶Ｘ線構造解析装置のゴニオメータに取り付ける際の試料ホルダの断面図である。
【図１９】本発明の実施例３の一部断面で示す試料ホルダユニットの斜視図である。
【発明を実施するための形態】
【００２０】
以下、本発明の一実施の形態になる、結晶スポンジを利用した単結晶Ｘ線構造解析装置に用いる試料ホルダユニットについて、添付の図面を参照しながら、詳細に説明する。なお、本出願において「ＡまたはＢ」の表現は、「ＡおよびＢの少なくとも一方」を意味し、ＡおよびＢがありえないという特段の事情がない限り「ＡおよびＢ」を含む。
【００２１】
添付の図１には、本発明の一実施の形態になる、単結晶Ｘ線回折装置を含む単結晶Ｘ線構造解析装置の全体外観構成が示されており、図からも明らかなように、単結晶Ｘ線構造解析装置１は、冷却装置やＸ線発生電源部を格納した基台４と、その基台４の上に載置された防Ｘ線カバー６とを有する。
【００２２】
防Ｘ線カバー６は、単結晶Ｘ線回折装置９を包囲するケーシング７及びそのケーシング７の前面に設けられた扉８等を有する。ケーシング７の前面に設けられた扉８は開くことができ、この開いた状態で内部の単結晶Ｘ線回折装置９に対して種々の操作を行うことができる。なお、図に示す本実施形態は、後にも述べる結晶スポンジを利用して物質の構造解析を行う単結晶Ｘ線回折装置９を含んだ単結晶Ｘ線構造解析装置１である。
【００２３】
単結晶Ｘ線回折装置９は、図２にも示すように、Ｘ線管１１及びゴニオメータ１２を有する。Ｘ線管１１は、ここでは図示しないが、フィラメントと、フィラメントに対向して配置されたターゲット（「対陰極」とも言う）と、それらを気密に格納するケーシングとを有し、このフィラメントは、図１の基台４に格納されたＸ線発生電源部によって通電されて発熱して熱電子を放出する。また、フィラメントとターゲットとの間にはＸ線発生電源部によって高電圧が印加され、フィラメントから放出された熱電子が高電圧によって加速されてターゲットに衝突する。この衝突領域がＸ線焦点を形成し、このＸ線焦点からＸ線が発生して発散する。より詳細には、このＸ線管１１は、ここでは図示しないが、マイクロフォーカス管と多層膜集光ミラー等の光学素子を含んで構成されており、より高い輝度のビームを照射することが可能であり、また、Cu、MoやAgなどの線源から選択可能となっている。上記に例示するように、フィラメントと、フィラメントに対向して配置されたターゲットと、それらを気密に格納するケーシングが、Ｘ線源として機能し、マイクロフォーカス管と多層膜集光ミラー等の光学素子を含むＸ線照射のための構成がＸ線照射部として機能する。
【００２４】
また、ゴニオメータ１２は、解析すべき試料Ｓを支持すると共に、試料ＳのＸ線入射点を通る試料軸線ωを中心として回転可能とするθ回転台１６と、θ回転台１６のまわりに配置されて試料軸線ωを中心として回転可能な２θ回転台１７とを有する。なお、試料Ｓは、本実施形態の場合、後にも詳述する試料ホルダ２１４の一部に予め取り付けられた結晶スポンジの内部に吸蔵されている。ゴニオメータ１２の基台１８の内部には、上述したθ回転台１６及び２θ回転台１７を駆動するための駆動装置（図示せず）が格納されており、これらの駆動装置によって駆動されて、θ回転台１６は所定の角速度で間欠的又は連続的に回転し、いわゆるθ回転する。また、これらの駆動装置によって駆動されて２θ回転台１７は間欠的又は連続的に回転し、いわゆる２θ回転する。上記の駆動装置は任意の構造によって構成できるが、例えば、ウォームとウォームホイールとを含んで構成される動力伝達構造によって構成できる。
【００２５】
ゴニオメータ１２の外周の一部にはＸ線検出器２２が載置されており、このＸ線検出器２２は、例えば、CCD型やCMOS型の２次元ピクセル検出器、ハイブリッド型ピクセル検出器などによって構成される。なお、Ｘ線検出測定部は、試料により回折又は散乱されたＸ線を検出して測定する構成を指し、Ｘ線検出器２２およびこれを制御する制御部を含む。
【００２６】
単結晶Ｘ線回折装置９は、以上のように構成されているので、試料Ｓは、ゴニオメータ１２のθ回転台１６のθ回転によって試料軸線ωを中心としてθ回転する。この試料Ｓがθ回転する間、Ｘ線管１１内のＸ線焦点から発生して試料Ｓへ向けられるＸ線は所定の角度で試料Ｓに入射して回折・発散する。即ち、試料Ｓへ入射するＸ線の入射角度は試料Ｓのθ回転に応じて変化する。
【００２７】
試料Ｓに入射するＸ線の入射角度と結晶格子面との間でブラッグの回折条件が満足されると、その試料Ｓから回折Ｘ線が発生する。この回折Ｘ線はＸ線検出器２２に受光されてそのＸ線強度が測定される。以上により、入射Ｘ線に対するＸ線検出器２２の角度、すなわち回折角度に対応する回折Ｘ線の強度が測定され、この測定結果から試料Ｓに関する結晶構造等が解析される。
【００２８】
続いて、図３（Ａ）は、上記単結晶Ｘ線構造解析装置における制御部１１０を構成する電気的な内部構成の詳細の一例を示す。なお、本発明が以下に述べる実施形態に限定されるものでないことは、もちろんである。
【００２９】
この単結晶Ｘ線構造解析装置１は、上述した内部構成を含んでおり、更に、適宜の物質を試料として測定を行う測定装置１０２と、キーボード、マウス等によって構成される入力装置１０３と、表示手段としての画像表示装置１０４と、解析結果を印刷して出力するための手段としてのプリンタ１０６と、ＣＰＵ（Central Processing Unit）１０７と、ＲＡＭ（Random Access Memory）１０８と、ＲＯＭ（Read Only Memory）１０９と、外部記憶媒体としてのハードディスク１１１などを有する。これらの要素はバス１１２によって電気的に相互につながれている。
【００３０】
画像表示装置１０４は、ＣＲＴディスプレイ、液晶ディスプレイ等といった画像表示機器によって構成されており、画像制御回路１１３によって生成される画像信号に従って画面上に画像を表示する。画像制御回路１１３はこれに入力される画像データに基づいて画像信号を生成する。画像制御回路１１３に入力される画像データは、ＣＰＵ１０７、ＲＡＭ１０８、ＲＯＭ１０９及びハードディスク１１１を含んで構成されるコンピュータによって実現される各種の演算手段の働きによって形成される。プリンタ１０６は、インクプロッタ、ドットプリンタ、インクジェットプリンタ、静電転写プリンタ、その他任意の構造の印刷用機器を用いることができる。なお、ハードディスク１１１は、光磁気ディスク、半導体メモリ、その他、任意の構造の記憶媒体によって構成することもできる。
【００３１】
ハードディスク１１１の内部には、単結晶Ｘ線構造解析装置１の全般的な動作を司る分析用アプリケーションソフト１１６と、測定装置１０２を用いた測定処理の動作を司る測定用アプリケーションソフト１１７と、画像表示装置１０４を用いた表示処理の動作を司る表示用アプリケーションソフト１１８とが格納されている。これらのアプリケーションソフトは、必要に応じてハードディスク１１１から読み出されてＲＡＭ１０８へ転送された後に所定の機能を実現する。
【００３２】
この単結晶Ｘ線構造解析装置１は、更に、上記測定装置１０２によって得られた測定データを含めた各種の測定結果を記憶するための、例えば、クラウド領域に置かれたデータベースも含んでいる。図の例では、後にも説明するが、上記の測定装置１０２によって得られたＸＲＤＳイメージデータを格納するＸＲＤＳ情報データベース１２０、顕微鏡により得られた実測イメージを格納する顕微鏡イメージデータベース１３０、更には、例えば、ＸＲＦやラマン光線等、Ｘ線以外の分析により得られた測定結果や、物性情報を格納するその他分析データベース１４０が示されている。なお、これらのデータベースは、必ずしも、単結晶Ｘ線構造解析装置１の内部に搭載される必要はなく、例えば、外部に設けられてネットワーク１５０等を介して相互に通信可能に接続されてもよい。
【００３３】
データファイル内に複数の測定データを記憶するためのファイル管理方法としては、個々の測定データを個別のファイル内に格納する方法も考えられるが、本実施形態では、図３（Ｂ）に示すように、複数の測定データを１つのデータファイル内に連続して格納することとしている。なお、図３（Ｂ）において「条件」と記載された記憶領域は、測定データが得られたときの装置情報および測定条件を含む各種の情報を記憶するための領域である。
【００３４】
このような測定条件としては、（１）測定対象物質名、（２）測定装置の種類、（３）測定温度範囲、（４）測定開始時刻、（５）測定終了時刻、（６）測定角度範囲、（７）走査移動系の移動速度、（８）走査条件、（９）試料に入射するＸ線の種類、（１０）試料高温装置等といったアタッチメントを使ったか否か、その他、各種の条件が考えられる。
【００３５】
ＸＲＤＳ（X-ray Diffraction and Scattering）パターン又はイメージ（図４を参照）は、上記測定装置１０２を構成するＸ線検出器２２の２次元空間である平面上で受け取られたＸ線を、当該検出器を構成する平面状に配列された画素毎に受光／蓄積して、その強度を測定することにより得られるものである。例えば、Ｘ線検出器２２の各画素毎に、積分によって受光したＸ線の強度を検出することによれば、ｒとθの２次元空間上のパターン又はイメージが得られる。
【００３６】
＜測定用アプリケーションソフト＞
照射されるＸ線に対する対象材料によるＸ線の回折や散乱によって得られる観測空間上のＸＲＤＳパターン又はイメージは、対象材料の実空間における電子密度分布の情報を反映している。しかしながら、ＸＲＤＳパターンは、ｒとθの２次元空間であり、３次元空間である対象材料の実空間における対称性を直接的に表現するものではない。そのため、一般的に、現存のＸＲＤＳイメージだけでは、材料を構成する原子や分子の（空間）配列を特定することは困難であり、Ｘ線構造解析の専門知識を必要とする。そのため、本実施例では、上述した測定用アプリケーションソフトを採用して自動化を図っている。
【００３７】
その一例として、図５（Ａ）及び（Ｂ）にその実行画面を示すように、単結晶構造解析のためのプラットフォームである「CrysAlisPro」と呼ばれるＸ線回折データ測定・処理ソフトウェアを搭載し、予備測定、測定条件の設定、本測定、データ処理などを実行する。更には、「AutoChem」と呼ばれる自動構造解析プラグインを搭載することにより、Ｘ線回折データ収集と並行して、構造解析および構造の精密化を実行する。そして、図６にも示す「Olex2」と呼ばれる構造解析プログラムにより、空間群決定から位相決定、分子モデルの構築と修正、構造の精密化、最終レポート、CIFファイルの作成を行う。
【００３８】
以上、単結晶Ｘ線構造解析装置１の全体構造やその機能について述べたが、以下には、特に、本発明に係る結晶スポンジと、それに関連する装置や冶具について、添付の図面を参照しながら詳細に述べる。
【００３９】
＜結晶スポンジ＞
上述したように、内部に直径0.5nmから１nmの細孔が無数に開いた、寸法が数10μｍ〜数100μｍ程度の極微小で脆弱（fragile）な細孔性錯体結晶である「結晶スポンジ」と呼ばれる材料の開発によって、単結晶Ｘ線構造解析は、結晶化しない液体状化合物や、或いは、結晶化を行うに足る量が確保できない数nｇ〜数μｇの極微量の試料なども含め、広く適用することが可能となっている。
【００４０】
しかしながら、現状においては、上述した結晶スポンジの骨格内への試料の結晶化である吸蔵（post-crystallization）を行うためには、各種の前処理（分離）装置によって分離された数nｇ〜数μｇ程度の極微量の試料を、既に述べたように、容器内において、シクロヘキサン等の保存溶媒に含浸して提供される外径100μｍ程度の極微小で脆弱（fragile）な結晶スポンジの骨格内に吸蔵させる工程が必要となる。保存溶媒には、液体と、気体（ガス）と、その中間にあたる超臨界流体が含まれる。更には、その後、この試料を吸蔵した極微小で脆弱（fragile）な取り扱い難い結晶スポンジを、迅速に（結晶スポンジが乾燥により破壊されない程度の短い時間で）、容器から取り出し、単結晶Ｘ線回折装置内のＸ線照射位置に、より具体的には、ゴニオメータ１２の試料軸（所謂、ゴニオヘッドピン）の先端部に、センタリングを行いながら正確に搭載する工程を必要とする。これらの工程は、Ｘ線構造解析の専門知識の有無に関わらず、作業者に非常な緻密性を要求する微細で、かつ、迅速性をも要求する作業であり、結晶スポンジに吸蔵した後の試料の測定結果に多大な影響を及ぼすこととなる。即ち、これらの作業が極微小な結晶スポンジを利用した単結晶Ｘ線構造解析を歩留まりの悪いものとしており、このことが、結晶スポンジを利用した単結晶Ｘ線構造解析が広く利用されることから阻害される一因ともなっている。
【００４１】
＜試料ホルダ、試料ホルダユニット＞
本発明は、上述したような発明者の知見に基づいて達成されたものであり、極微小で脆弱（fragile）な結晶スポンジによる単結晶Ｘ線構造解析を、以下に述べる結晶スポンジを支持する結晶スポンジ用試料ホルダ（単に、試料ホルダともいう）を備えた試料ホルダユニットを用いることにより、迅速に、確実かつ容易に行うことを可能とするものであり、換言すれば、歩留まり良くかつ効率的で、汎用性に優れ、かつ、ユーザフレンドリな単結晶Ｘ線構造解析装置を実現するものである。即ち、本発明に係る次世代の単結晶Ｘ線構造解析装置では、極微量な試料Ｓを吸蔵した極微小で脆弱（fragile）な結晶スポンジを用意すると共に、更には、当該試料Ｓ（結晶スポンジ）を吸蔵容器から取り出して、結晶スポンジが乾燥により破壊されない程度の短時間で、迅速に、ゴニオメータ１２の先端部の所定位置に、正確かつ迅速に取り付けなければならないという、大きな制約があるが、特に汎用性にも優れたユーザフレンドリな装置を実現するためには、かかる作業を、高度な専門知識や作業の緻密性を要求せずに、迅速かつ容易に実行可能なものとする必要がある。
【００４２】
本発明は、かかる課題を解消し、即ち、極微小で脆弱（fragile）な取り扱い難い結晶スポンジを使用しながらも、試料の当該結晶スポンジへの吸蔵やその後の装置への搭載を含む作業を、誰でも、迅速かつ確実かつ容易に、歩留まり良く効率的で、ユーザフレンドリに行うことが可能で、かつ、汎用性にも優れた単結晶Ｘ線構造解析装置を実現可能にするための冶具である、単結晶Ｘ線構造解析装置用試料ホルダユニットを提供するものであり、以下に詳述する。
【００４３】
図７（Ａ）は、ゴニオメータ１２の先端部を拡大して示しており、この図では、本発明により提案される解析すべき試料を吸蔵する結晶スポンジ２００をその先端部に予め取り付けた冶具である、図７（Ｂ）に拡大図を示した、所謂、試料ホルダ２１４が、ゴニオメータ１２の先端部のゴニオヘッド１５に取り付けられる（マウントされる）様子を示している。なお、この試料ホルダ２１４は、例えば、磁力などを利用した取付け／位置決め機構によって、ゴニオメータ１２の先端部のゴニオヘッド１５に対して着脱可能で、かつ、誰でも正確な位置に容易かつ高精度に取り付けることが可能となっている。
【実施例１】
【００４４】
図８は、実施例１の試料ホルダ２１４の断面を示している。試料ホルダ２１４は、ゴニオメータ１２の先端部のゴニオヘッド１５（図７（Ａ）参照）に取り付けられる金属等からなる円盤状の基台部２０１と、その一方の面（図では下面）から下方に延びる突起状に形成された突出部２０２で構成される。突出部２０２は、円錐部２０２ａと突起状に形成された試料保持部（所謂、ゴニオヘッドピンに対応する）２０２ｂで構成される。試料保持部２０２ｂの先端の所定位置には、上述した解析すべき試料を吸蔵するための結晶スポンジ２００が、予め試料ホルダ２１４と一体に取り付けられている。【００４５】
また、基台部２０１の他の面（図では上面）には、円錐台の凹状の取付部２０３が形成され、この取付部２０３には、前述のゴニオメータ１２の先端部のゴニオヘッド１５との接触面に、図示しないマグネットや、嵌合凸部（または凹部）２０３ａが設けられている。この構成により、試料ホルダ２１４は、ゴニオメータ１２の先端部のゴニオヘッド１５に対し、着脱可能で、誰でも容易かつ高精度に搭載することが可能となる。【００４６】
試料ホルダ２１４の円錐部２０２ａの基台部側の外径は、基台部２０１の外径より小さく設定されており、環状の段部２０８が形成される。また、基台部２０１から突出部２０２に貫通する試料導入構造としての貫通孔２０４、２０５が形成され、各貫通孔２０４、２０５には、孔内を気密に閉塞するシール部２０６、２０７が設けられる。【００４７】
図９には、試料ホルダ２１４を収納し、試料ホルダ２１４に予め取り付けられた結晶スポンジ２００に試料を吸蔵するための冶具となる、アプリケータ３００の斜視図が示されている。図１０は、アプリケータ３００と、その内部に収納された試料ホルダ２１４とで構成される試料ホルダユニット４００の断面図である。【００４８】
アプリケータ３００は、例えば、ガラスや樹脂や金属等の透明又は不透明な部材で形成されており、その内部には、試料ホルダ２１４を収納するための収納空間３０１が形成され、更に、その上部には、試料ホルダ２１４を嵌入し、かつ、取り出すための開口部３０２が形成されている。開口部３０２の環状の底面には、例えば、環状のシール部（Ｏリング）３０４が設けられており、試料ホルダ２１４の収納時に、試料ホルダ２１４の段部２０８が、シール部３０４に接触して、試料ホルダ２１４とアプリケータ３００の間が気密に保たれる。【００４９】
アプリケータ３００の開口部３０２の内径は、試料ホルダ２１４の基台部２０１の外径より僅かに大きく設定されるので、試料ホルダ２１４の出し入れ時に、開口部３０２の内壁を案内面とすることができる。したがって、極微量な試料を吸蔵した結晶スポンジ２００を有する試料ホルダ２１４を、アプリケータ３００から取り出す際に、試料Ｓに損傷を与えることがなく、容易に準備することができる。【００５０】
符号３１５、３１５は、アプリケータ３００の側面（側壁）に設けられた一対の抜け止め部（Ｌ字型の揺動レバー）で、その先端（後述の横棒）が開口部３０２内に突出する位置と後退する位置とに移動するように揺動する。抜け止め部３１５、３１５は、Ｌ字型を構成する横棒３１７と縦棒からなり、縦棒は「く」の字型に形成された上部分３１９と下部分（操作部）３１８からなる。上部分３１９は横棒３１７に結合され、下部分３１８と上部分３１９の境部分が、アプリケータ３００の側面に固定された横軸３１６に揺動可能に支えられる。抜け止め部３１５、３１５は、図示しないバネによって、横棒３１７の先端が開口部３０２に突出する（閉じる）方向に付勢されている。常時は、この付勢により横棒３１７が開口部３０２に突出して、縦棒の操作部３１８がアプリケータ３００の側面から離間している。操作部３１８を手指またはマニュピレータで、アプリケータ３００の側面方向に押圧すると、横棒３１７は後退する位置（開いた状態）に移動する。【００５１】
試料ホルダ２１４をアプリケータ３００に収納する際は、図１０に示すように、抜け止め部３１５の操作部３１８を手指等で横矢印方向に押し、抜け止め部３１５の横棒３１７を開いた状態で、試料ホルダ２１４を開口部３０２に挿入する。次いで、試料ホルダ２１４を押し下げながら抜け止め部３１５の操作部３１８への横矢印方向の押圧力を解くと、バネの付勢力で抜け止め部３１５が回転して横棒３１７が開口部３０２に突出する。【００５２】
図１１に上記の状態を示すと、抜け止め部３１５の横棒３１７が、試料ホルダ２１４の上面に係合し、試料ホルダ２１４は、アプリケータ３００の開口部３０２からの抜け出しが阻止される。なお、横棒３１７の試料ホルダ２１４の上面との係合位置は、貫通孔２０４、２０５を避けた位置となっている。【００５３】
図１２は、アプリケータ３００への試料導入の工程を示している。試料ホルダ２１４の貫通孔２０４、２０５には、それぞれ試料導入構造としての試料導入パイプ（以下、単にパイプともいう）２２０、２２１が挿入されている。図１２において、符号２３０は、アプリケータ３００の底部に注入された疎水性の溶媒（例えばシクロヘキサン）であり、試料保持部２０２ｂの先端部の結晶スポンジ２００が浸るレベルに設定されて充填される。パイプ２２０は試料の注入用のパイプであり、パイプ２２１は排出用のパイプである。パイプ２２０の先端部は、溶媒２３０に没入して結晶スポンジ２００の近傍まで伸び、パイプ２２１の先端部は、溶媒２３０に浸らない位置まで伸びている。図１２において、注入用のパイプ２２０から試料（例えば気体）が注入されると、試料は溶媒２３０に入り込み、溶媒中の結晶スポンジ２００内に吸蔵される。過剰に供給された試料（溶媒、担体を含む）は、パイプ２２１を経由して外部に排出される。【００５４】
その後、本例では、パイプ２２０、２２１が同時に引き抜かれ、次いで、試料の吸蔵が行われた結晶スポンジ２００を有する試料ホルダ２１４が、ゴニオメータ１２の先端部のゴニオヘッド１５に取り付けられる。なお、試料ホルダ２１４と、その取扱い冶具であるアプリケータ３００とは、共に一体化した試料ホルダユニット４００として、解析作業に必要な数だけ揃えて、箱状の容器に収納し、所謂、セットとして提供することも可能である。【００５５】
上記構成の試料ホルダユニット４００によれば、当該試料ホルダ２１４の一部を構成するピン状の保持部２０２ｂ（ゴニオヘッドピンに対応）の先端部に取り付けた結晶スポンジ２００を、破損し、或いは、試料ホルダ２１４から逸脱することなく、安全かつ容易に取り扱うことができる。即ち、極微量な試料を吸蔵した当該結晶スポンジ２００を、従来のように吸蔵容器から単体で取り出されて損傷することなく、安全で簡単かつ容易に、かつ、乾燥により破壊されない程度の短時間で、迅速に、ゴニオヘッド１５上に準備することができる。本実施例では、この試料の吸蔵が完了した試料ホルダ２１４を、アプリケータ３００から取り外し、ゴニオメータ１２の先端部のゴニオヘッド１５（図７（Ａ）を参照）に取り付ける。これにより、結晶スポンジ２００に吸蔵した当該試料Ｓは、高度な専門知識や緻密な作業を必要とすることなく、単結晶Ｘ線回折装置９内の所定の位置に容易に、正確かつ迅速に配置されることとなる。【００５６】
＜吸蔵装置（ソーキングマシン）による試料の導入＞
続いて、上記構成の試料ホルダユニット４００（図１０〜１２参照）の結晶スポンジ２００への、吸蔵装置を用いて行われる試料の吸蔵について説明する。【００５７】
図１３において、前処理装置６００を構成するＬＣ（液体クロマトグラフィ）６０１、ＧＣ（気体クロマトグラフィ）６０２、更には、ＳＣＦ（超臨界液体クロマトグラフィ）６０３やＣＥ（電気泳動）６０４等によって抽出された極微量な試料Ｓは、各種の切替弁や調圧装置を備えて必要な条件（流量や圧力）で流体を供給する吸蔵装置（ソーキングマシン）６５０を介して、試料ホルダ２１４の貫通孔２０４、２０５に挿入される一対の試料導入パイプ２２０、２２１に供給され、当該試料はアプリケータ３００内部の収納空間３０１に選択的に導入される。すなわち試料は、供給側配管から供給側の試料導入パイプ２２０に送られ、供給側の試料導入パイプ２２０の先端部分からアプリケータ３００の内部の試料ホルダ２１４に供給される。試料のみ、または試料と保存溶媒とが混合された溶液が、供給側の試料導入パイプ２２０内を流れ供給される。このことにより、導入された当該極微量の試料Ｓは、アプリケータ３００の収納空間３０１内において、試料ホルダ２１４のピン状の試料保持部２０２ｂの先端に取り付けた結晶スポンジ２００に接触して試料の吸蔵が行われる。なお、ここでの電気泳動装置は、キャピラリー電気泳動や等電点電気泳動等、種々の電気泳動装置を含む。吸蔵装置を用いる場合、試料が注入された状態で所定の時間が経過した後、排出側の試料導入パイプ２２１から過剰な試料、または試料と保存溶媒とが混合された溶液が排出される。吸蔵装置を用いない場合、不要な保存溶媒または溶液が排出側の試料導入パイプ２２１内を流れ排出される。したがって、排出側の試料導入パイプ２２１には、試料が流れない場合がありうる。なお、気体や超臨界流体をキャリアとした場合には、試料を含んだキャリアが排出される。【００５８】
＜試料ホルダの単結晶Ｘ線構造解析装置への取り付け＞
次に、実施例１の試料が吸蔵された結晶スポンジを有する試料ホルダユニットの単結晶Ｘ線構造解析装置への取り付けについて説明する。【００５９】
図１２で結晶スポンジ２００へ試料の吸蔵が行われた後は、パイプ２２０、２２１が引き抜かれ、試料が吸蔵された結晶スポンジ２００を有する試料ホルダ２１４と、これを内蔵するアプリケータ３００からなる試料ホルダユニット４００は、図１４に示すように、手指またはマニュピレータ４１０等で把持して上下を逆（結晶スポンジ２００を上に向けた状態）の姿勢で、単結晶Ｘ線回折装置９内のゴニオメータ１２の先端部のゴニオヘッド１５に取り付けられる。このとき、試料ホルダ２１４の取付部２０３の部分がゴニオヘッド１５に取り付けられる。【００６０】
次いで、図１５に示すように、両側の抜け止め部３１５の操作部３１８を、手指等で横矢印方向に押圧して横棒３１７を開く。抜け止め部３１５の試料ホルダ２１４との係合が外れて、試料ホルダ２１４の抜け止めが解除される。アプリケータ３００は、シール部３０４の弾力で試料ホルダ２１４から分離し、縦矢印方向に上昇する。その後、アプリケータ３００を手指またはマニュピレータ４１０等で把持して持上げると、試料ホルダ２１４のみがゴニオメータ１２の先端部のゴニオヘッド１５に取り付けられた状態となる。このとき、試料ホルダ２１４は、取付部２０３のマグネット等により、先端部のゴニオヘッド１５に、容易かつ正確に取り付けられる。【００６１】
なお、上記したように、抜け止めが解除されると、アプリケータ３００が、シール部３０４の弾力で試料ホルダ２１４から分離される構成となっているので、シール部３０４は、シール機能と共に、アプリケータ３００と試料ホルダ２１４とを分離する（引き離す）分離手段として機能している。この分離手段としては、シール部３０４以外に、アプリケータ３００と試料ホルダ２１４の間を分離するように付勢するバネ等の他の手段を設けても良い。この分離手段については、後述の実施例２および実施例３についても同様である。
【実施例２】
【００６２】
図１６は、本発明の実施例２のアプリケータ５００の斜視図で、図１７は、同じく試料ホルダユニットの断面であり、実施例１と同等部分に同一符号を付している。符号５０１は、アプリケータ５００の開口面５０９に沿って横方向に摺動して、開口部３０２に突出する板状の抜け止め部（摺動部）である。抜け止め部５０１は、装着された状態で、アプリケータ５００に収納された試料ホルダ２１４の上面に係合し、試料ホルダ２１４の開口部３０２からの抜け出しを阻止する。符号５０４、５０４は、開口面５０９の両側部に平行に延びるように設置された断面コ字型の案内レールである。抜け止め部５０１は、その両側端（係合部）が案内レール５０４、５０４に係合して、矢印の両方向に摺動案内される。【００６３】
抜け止め部５０１は、中央にＵ字型の開口５０２を有し、開口５０２のＵ字型の円弧側に操作部５０５が設けられ、他方側５０６は開放されている。抜け止め部５０１のアプリケータ５００への装着は、試料ホルダ２１４の上面を押し下げながら、操作部５０５を手指またはマニュピレータで押圧して、抜け止め部５０１摺動させて行う（図１７参照）。【００６４】
抜け止め部５０１は、開口５０２が試料ホルダ２１４の基台部２０１の外径より小さな内径を有し、アプリケータ５００に装着されたとき、貫通孔２０４、２０５を塞がないように、試料ホルダ２１４の上面の外周部のみに係合している。抜け止め部５０１は、前端の摺動下面に傾斜面５０３が設けられており、摺動により傾斜面５０３で試料ホルダ２１４の上面に係合して押し下げながら装着がなされ、また、試料ホルダ２１４の上面、およびアプリケータ５００の開口面５０９との摺動は円滑に行われる。【００６５】
試料の結晶スポンジ２００への吸蔵に際しては、抜け止め部５０１が装着された状態で、抜け止め部５０１の開口５０２に露出している試料ホルダ２１４の貫通孔２０４、２０５に、試料導入パイプ２２０、２２１が挿入されて、実施例１と同様に試料が導入される。【００６６】
図１８は、実施例２の試料ホルダユニットが、Ｘ線結晶構造解析装置のゴニオメータに取り付ける際の断面図である。図１７に示す試料ホルダユニット４００は、図１８に示すように、手指またはマニュピレータ４１０等で姿勢を上下逆にし、ゴニオメータ１２の先端部のゴニオヘッド１５に取り付けられる。このとき、試料ホルダ２１４の取付部２０３部分がゴニオメータ１２の先端のゴニオヘッド１５に取り付けられる。【００６７】
次いで、操作部５０５を手指等またはマニュピレータ４１０等の操作により、抜け止め部５０１の装着時と逆方向（図１６で右方向）に引き抜かれる。抜け止め部５０１がアプリケータ５００から引き抜かれると、試料ホルダ２１４の抜け止めが解除され、アプリケータ５００が、シール部３０４の弾力で、試料ホルダ２１４から分離され、縦矢印方向に上昇する。その後、手指またはマニュピレータ４１０等でアプリケータ５００を把持して持ち上げると、試料ホルダ２１４のみがゴニオメータ１２の先端のゴニオヘッド１５に取り付けられた状態で残る。実施例１と同様に、試料ホルダ２１４は、取付部２０３のマグネット等により、ゴニオメータ１２の先端のゴニオヘッド１５に、容易かつ正確に取り付けられる。この位置決め機構により試料ホルダ２１４は、ゴニオメータ１２の先端部に着脱自在に取り付けられる。【００６８】
実施例２によれば、抜け止め部を摺動により装着するので、容易で確実に抜け止めを行うことができると共に、アプリケータ５００と一緒に試料ホルダ２１４をゴニオメータ１２に搬送して取り付け、その後、アプリケータ５００のみを分離するので、結晶スポンジ２００を保護しつつ、試料ホルダ２１４を迅速、簡単、かつ正確にゴニオメータ１２に取り付けることができる。
【実施例３】
【００６９】
図１９は、本発明の実施例３の試料ホルダユニット４００を一部断面で示す斜視図であり、実施例２と同等部分に同一符号を付している。図１９は、抜け止め部７０１がアプリケータ装着された状態を示しており、実施例２の抜け止め部のＵ字型の開口（図１６の符号５０２参照）が図示省略されている。【００７０】
符号７００はアプリケータ、符号７０１はアプリケータ７００の開口部（図示せず）を摺動する抜け止め部（摺動部）であり、樹脂等で機械的強度の高い（約１０気圧）板厚に形成される。符号７０４、７０４は、アプリケータ７００の上方の両側部に横方向に延びるように平行に設置された一対の案内レールで、強度（約１０気圧）を有する板厚で、面コ字型に形成され、高い機械的強度を有する。符号７０５、７０５は、抜け止め部７０１の両側端７０３に設けられた係合部であって、前記案内レール７０４、７０４に係合するように、樹脂等で高い機械的強度を有する断面コ字型（Ｕ字型）に形成されている。符号７０７は、抜け止め部７０１の天板７０２上に設けられた突起状の操作部で、抜け止め部７０１の摺動操作に用いられる。また、図示が省略されているが、抜け止め部７０１の前端の摺動下面には、実施例２と同様に傾斜面が設けられ、試料ホルダ２１４およびアプリケータ７００と、円滑な摺動を可能にする。【００７１】
アプリケータ７００への装着は、抜け止め部７０１の係合部７０５、７０５を案内レール７０４、７０４に係合させて、操作部７０７を手指やマニュピレータなどで矢印方向へ操作することで行われる。抜け止め部７０１は、装着された状態で、試料ホルダ２１４の上面に係合して、アプリケータ７００からの抜け出しを阻止する。抜け止め部７０１の取外しは、操作部７０７を装着時と逆方向に操作して、抜け止め部７０１を案内レール７０４、７０４から抜き取ることで行われる。【００７２】
単結晶Ｘ線構造解析装置への取り付けに際しては、図１９に示す試料ホルダユニット４００が、手指またはマニュピレータ４１０等で把持され、上下逆の姿勢でゴニオメータ１２の先端のゴニオヘッド１５に取り付けられる。このとき、試料ホルダ２１４の取付部２０３がゴニオメータ１２の先端部のゴニオヘッド１５に取り付けられる。次いで、アプリケータ７００を押さえた状態で、操作部７０７を手指またはマニュピレータ４１０等で操作して、装着時と逆方向（図１６で右方向）に抜き取る。抜け止め部７０１の抜き取りにより、シール部３０４の弾力で、アプリケータ７００が試料ホルダ２１４から分離して上昇する。その後、アプリケータ７００を手指またはマニュピレータ４１０等で把持して持上げると、試料ホルダ２１４のみがゴニオメータ１２の先端部のゴニオヘッド１５に取り付けられた状態で残る。【００７３】
実施例３によれば、実施例１、２と同様に、アプリケータ７００と一緒に試料ホルダ２１４をゴニオメータ１２に搬送して取り付け、その後、アプリケータ７００のみを分離するので、極微小で脆弱（fragile）な結晶スポンジ２００を保護しつつ、試料ホルダ２１４を迅速、簡単、かつ正確にゴニオメータ１２に取り付けることができる。【００７４】
以上に詳述したように、本発明の単結晶Ｘ線構造解析装置用試料ホルダユニットによれば、Ｘ線構造解析の専門知識がなくても、極微小で脆弱（fragile）な結晶スポンジを利用した単結晶Ｘ線構造解析を、従来必要とされた緻密で微細な作業を伴わずに、迅速、確実かつ容易に行うことが出来る、換言すれば、結晶スポンジを利用した単結晶Ｘ線構造解析を、歩留まり良くかつ効率的に行うことが可能な、汎用性に優れ、かつ、ユーザフレンドリな単結晶Ｘ線構造解析装置を実現することを可能にする試料ホルダユニットが提供される。更には、実際の試料の準備作業により適合した構成の試料ホルダユニットが提供される。【００７５】
結晶スポンジ２００への試料の吸蔵工程では、吸蔵に適した、温度、圧力等に設定された試料ホルダユニット４００に、吸蔵装置（ソーキングマシン）６５０（図１３参照）から、吸蔵に適した条件（圧力や流量等）で試料が供給される。このため、試料ホルダユニット４００内は、種々の温度と圧力に対応する必要がある。本実施例３では、機械的強度の高い（約１０気圧）板厚の抜け止め部７０１、係合部７０５、および案内レール７０４を用いており、更に、係合部７０５および案内レール７０４を機械的強度の高い（約１０気圧）断面コ字型（Ｕ字型）に形成しているので、これに十分耐えて対応することができる。【００７６】
なお、以上には本発明の種々の実施例を説明したが、本発明は上記した実施例に限定されるものではなく様々な変形例が含まれる。例えば、上記した実施例は本発明を分かりやすく説明するためにシステム全体を詳細に説明したものであり、必ずしも説明した全ての構成を備えるものに限定されるものではない。また、ある実施例の構成の一部を他の実施例の構成に置き換えることが可能であり、またある実施例の構成に他の実施例の構成を加えることも可能であり、また、各実施例の構成の一部について、他の構成の追加・削除・置換をすることが可能であろう。【００７７】
本発明は、物質構造の探索に用いるＸ線構造解析装置や方法などにおいて広く利用可能である。【００７８】
なお、本国際出願は、２０１８年１１月２２日に出願した日本国特許出願第２０１８−２１９７８２号に基づく優先権を主張するものであり、日本国特許出願第２０１８−２１９７８２号の全内容を本国際出願に援用する。
【符号の説明】
【００７９】
１…単結晶Ｘ線構造解析装置（全体）、９…単結晶Ｘ線回折装置、１１…Ｘ線管、１２…ゴニオメータ、１５…ゴニオヘッド、２２…Ｘ線検出器、１０２…測定装置、１０３…入力装置、１０４…画像表示装置、１０７…ＣＰＵ、１０８…ＲＡＭ、１０９…ＲＯＭ、１１１…ハードディスク、１１６…分析用アプリケーションソフト、１１７…測定用アプリケーションソフト、２００…結晶スポンジ、２０１…基台部、２０２…突出部、２０４、２０５…貫通孔、２１４…試料ホルダ、３００、５００、７００…アプリケータ、３０１…収納空間、３０２…開口部、２２０、２２１…試料導入パイプ（パイプ）、３１５、５０１、７０１…抜け止め部、３１８、５０５、７０７…操作部、４００…試料ホルダユニット。
【図１】
2020105728.tif 000003
【図２】
2020105728.tif 000004
【図３】
2020105728.tif 000005
【図４】
2020105728.tif 000006
【図５】
2020105728.tif 000007
【図６】
2020105728.tif 000008
【図７】
2020105728.tif 000009
【図８】
2020105728.tif 000010
【図９】
2020105728.tif 000011
【図１０】
2020105728.tif 000012
【図１１】
2020105728.tif 000013
【図１２】
2020105728.tif 000014
【図１３】
2020105728.tif 000015
【図１４】
2020105728.tif 000016
【図１５】
2020105728.tif 000017
【図１６】
2020105728.tif 000018
【図１７】
2020105728.tif 000019
【図１８】
2020105728.tif 000020
【図１９】
2020105728.tif 000021
【国際調査報告】
2020105728.tif 000022
2020105728.tif 000023
2020105728.tif 000024
2020105728.tif 000025